(57)【要約】【課題】  従来のビルディング建設のように、地中の躯体を二重構造とすることなく、より容易に通水空間を設けられる構造とする。  また、コンクリート打設用の外枠に防水シートを張り、継ぎ目を接着していたが、この煩雑な作業を無くし、容易に防水層を形成する。  さらに室内においても、防湿、断熱がなされた地下室を、廉価で容易に施工できる構造を提供することである。【解決手段】  地下室のコンクリート壁外面及び床スラブ底面に、合成樹脂塗料を吹き付け塗装して、防水性延展性に優れるシームレスな防水層を形成する。  床スラブ底面の防水層の外面には透水性のシートを基礎の捨てコンクリート上に敷設し、また前記コンクリート壁外面には複数の凸部が散在する通水用の樹脂板を矢板に固定し、さらに壁外面と床スラブ底面との接合部に、排水手段に連通する集水管を備えた構造とする。さらに、地下室内の任意面に、通気層を設ける。【選択図】  図１
2005076438.tif 000002
【特許請求の範囲】
【請求項１】
地下室のコンクリート壁外面および床スラブ底面を防水層で一体的に密閉し、床スラブ底面の防水層の下面と、基礎の捨てコンクリートの間に透水層を備え、前記コンクリート壁外面の全面あるいは一部に、透水層あるいは通水層を備え、さらに前記壁外面の透水層、あるいは通水層と、基礎の捨てコンクリート上の透水層との当接部に、排水手段に連通する集水管を備えることを特徴とする地下室の防湿構造。
【請求項２】
請求項１に記載の地下室の防湿構造において、地下室の任意な内面に換気手段に連通する通気層と、その内面に透水層および防水層を備え、その表面に内装壁および床が装着されていることを特徴とする地下室の防湿構造。
【請求項３】
請求項２に記載の地下室の防湿構造において、前記の換気手段は、電動ファンを備えた地下室外からの吸気、あるいは地下室外への排気管に連通して前記室内壁面の通気層と室内に分岐し、室内への排気量、あるいは室内から吸気量の調節機構を備え、地下室内外の吸気管には空気フィルタを備えたことを特徴とする地下室の防湿構造。
【請求項４】
請求項１〜３のいずれかに記載の地下室の防湿構造において、前記防水層は樹脂塗料を吹き付け塗装された延展性に富むシームレスの塗膜であることを特徴とする地下室の防湿構造。
【請求項５】
請求項１〜４のいずれかに記載の地下室の防湿構造において、前記透水層は合成樹脂繊維の不織布よりなるフィルタであることを特徴とする地下室の防湿構造。
【請求項６】
請求項１〜５のいずれかに記載の地下室の防湿構造において、前記通水層および通気層は、複数の凸部が散在する合成樹脂成型品であることを特徴とする地下室の防湿構造。
【発明の詳細な説明】
【発明の詳細な説明】
【技術分野】
【０００１】  本発明は、地下室の外壁から侵入する湿気を無くし、さらに外壁を形成するコンクリート自体の湿気を外部に排出し、また断熱効果を高めて室内空間を快適な状態に保つための防湿構造に関するものである。
【背景技術】
【０００２】  通常のコンクリートは透水性があるため、地下室などの地下建造物の地下水や雨水などからの防湿対策は、従来から種々行われてきている。
大型ビルディングにおいては、地中の躯体を二重構造として通水空間を設け、地中より漏洩した水を空間に貯めてポンプで排出していたが、このための土木建築費用は高価なものとなっていた。【０００３】  住宅用の家屋に地下室や地下収納庫を設ける場合は、地中の躯体の外面を防水シートで封止するべく、特開平１１−２８００８８号公報に開示されているように、コンクリート打設用の外枠内面に防水シートを張リコンクリートを打設していたが、シートが破損したりし、さらにシートの継ぎ目の接着作業が煩雑であった。【０００４】  また、地中の躯体の外面は防湿しても、コンクリートの養生を終えて枠を撤去してからも、コンクリート自体の水分放出が内壁からあるため、黴が生じ易く室内が乾燥するまでに数年を要していた。
特開２００３−１７６５８０号公報には、両面に接着剤を塗布したプラスチックフィルムを発泡成型した断熱層と層着一体化した、防湿断熱壁パネルを用いる方法が開示されている。
【発明が解決しようとする課題】
【０００５】  従来のビルディング建設のように、地中の躯体を二重構造とすることなく、より容易に通水空間を設けられる構造とする。
また、コンクリート打設用の外枠に防水シートを張り、継ぎ目は接着剤で接着してコンクリートを打設していたが、シートが破損したりし、さらにシートの継ぎ目の接着作業が煩雑であったが、容易に防水層を形成する。
【０００６】  さらに室内においては、両面に接着剤を塗布したプラスチックフィルムを発泡成型した断熱層と層着一体化した防湿断熱壁パネルを用いる方法と同等の効果が期待でき容易に施工できる構造とする。
以上の課題を解決しで、防湿、断熱がなされた地下室を、廉価で容易に施工できる構造を提供することである。
【課題を解決するための手段】
【０００７】  本発明による地下室の防湿構造は、地下室のコンクリート壁外面および床スラブ底面を防水層で一体的に密閉し、床スラブ底面の防水層の下面と、基礎の捨てコンクリートの間に透水層を備え、前記コンクリート壁外面の全面あるいは一部に、透水層あるいは通水層を備え、さらに前記壁外面の透水層、あるいは通水層と、基礎の捨てコンクリート上の透水層との当接部に、排水手段に連通する集水管を備える地下室の防湿構造を施工する。
【０００８】  地下室の全周に亘り同一の構造でなく、地形に応じて前記の通水層を備える壁面と、透水層を備える壁面の両者を組み合せて施工することもできる。
排水手段は、平地にあっては暗渠、あるいは排水ポンプを使用し、傾斜地にあっては自然排水でもよい。
【０００９】  また本発明は、前記地下室の防湿構造において、地下室の任意な内面に換気手段に連通する通気層と、その内面に透水層および防水層を備え、その表面に内装壁および床が装着された地下室の防湿構造を施工する。
型枠を撤去してからもコンクリート自体からの湿気が放出されるので、壁面のみ場合は内壁と床面との間に設けた間隙から吸気させて、壁上部から屋外へ排気させる。
床面および天井面も同様に換気することにより、さらに室内の防湿効果が高まり、同時に断熱効果も高まるので結露防止にもなる。
床面、あるいは天井面の換気の吸気穴は、床面、あるいは天井面の略中央部に吸気孔を設けて、室内の空気を壁面を通過させて屋外に排気することもできる。
【００１０】  また、本発明は前記の換気手段として、電動ファンを備えた地下室外からの吸気、あるいは地下室外への排気管に連通して前記室内壁面の通気層と室内に分岐し、室内への排気量、あるいは室内からの吸気量の調節機構を備え、地下室内外の吸気管には空気フィルタを備えた地下室の防湿構造である。
前記のように型枠を撤去してからもコンクリート自体からの湿気が放出されるので、当初は内壁面の通気層に送風するが、室内の換気も調節して行う事ができる。屋外から吸気する場合は、地下室の略対称な位置で屋外への排気をすることが必要である。
【００１１】  また本発明は地下室の防湿構造において、前記防水層は合成樹脂塗料を吹き付け塗装して延展性に富むシームレスの塗膜で形成した地下室の防湿構造を施工する。
従来は、コンクリート打設用の外枠に防水シートを張り、継ぎ目は接着剤で接着してコンクリートを打設していたが、シートが破損したりし、さらにシートの継ぎ目の接着作業が煩雑であった。
本発明では、樹脂塗料を吹き付け塗装して防水性延展性に優れるシームレスの防水層で一体的に密閉するので、容易に完全な防水層で密閉することができる。
【００１２】  また本発明は地下室の防湿構造において、、前記透水層は合成樹脂繊維の不織布よりなるフィルタを用いて地下室の防湿構造を施工する。
浸水量の少ない場所の床面あるいは外壁面に、合成樹脂繊維の不織布よりなるフィルタを装着して透水層として端面より排水するので、従来の施工作業を大幅に短縮する事ができる。
【００１３】  また本発明は、地下室の防湿構造において、前記通水層および通気層は、複数の凸部が散在する合成樹脂成型品で形成した地下室の防湿構造を施工する。
前記コンクリート壁外面には、複数の凸部が散在する通水用の樹脂板を矢板に当接して通水路が形成できるので、従来のビルディング地下建設のように二重に躯体を設ける煩雑な工事もなく、廉価で容易に通水層を形成する事ができる。
なお、複数の凸部が散在する通水用の樹脂板は、外圧に応じて樹脂層の厚みを、また通水量に応じて、凸部の高さを選択する。
【発明を実施するための最良の形態】
【００１４】  地下室のコンクリート壁外面および床スラブ底面に樹脂塗料を吹き付け塗装して延展性に富むシームレスの防水層で一体的に密閉し、床スラブ底面の防水層の下面と、基礎の捨てコンクリートの間に合成樹脂繊維の不織布よりなる透水層を備え、前記コンクリート壁外面の全面あるいは一部に、透水層あるいは複数の凸部が散在する合成樹脂成型品である通水層を備え、さらに前記壁外面の透水層、あるいは通水層と、基礎の捨てコンクリート上の透水層との当接部に、排水手段に連通する集水管を備える地下室を施工する。【００１５】  地下室の任意な内面に、電動ファンを備えた地下室外からの吸気、あるいは地下室外への排気管に連通して前記室内壁面の通気層と室内に分岐し、排気量、あるいは吸気量の調節機構を備え、地下室内外の吸気部には空気フィルタを備えた換気扇に連通する通気層と、その内面に合成樹脂繊維の不織布よりなる透水層および樹脂塗料を吹き付け塗装された延展性に富むシームレスの塗膜である防水層を備え、その表面に内装壁および床が装着された地下室を施工する。
【実施例１】
【００１６】  先ず地下室予定地を発掘してからＨ鋼（図示せず）を打ち込み、地下室底面角部の断面説明図１に示すように矢板８で土留めをした後、基礎のバラス７の上部に集水管９を配設してから、捨てコンクリート６を打設し、床面および矢板壁面に合成樹脂繊維の不織布よりなるフィルタの透水層２を固定し、その上面に樹脂塗料を吹き付け塗装された延展性に富むシームレスの塗膜の防水層１を形成する。
次いで、鉄筋を組んでから矢板に対向する内側型枠を取りつけてコンクリートを打設し、コンクリート壁４およびコンクリート床５を形成する。
【実施例２】
【００１７】  他の施工手段として地下室予定地を一回り広く発掘してから、地下室底面角部の断面説明図２に示すように矢板８で土留めをした後、前記同様に、基礎のバラス７の上部に集水管９を配設してから、捨てコンクリート６を打設し、その上面に合成樹脂繊維の不織布よりなるフィルタの透水層２を固定し、上面に樹脂塗料を吹き付け塗装された延展性に富むシームレスの塗膜の防水層１を形成する。【００１８】  次いで、鉄筋を組んでからコンクリート打設用の型枠を組んでコンクリートを打設し、コンクリート壁４およびコンクリート床５を形成する。
コンクリート養生後に型枠を撤去し、コンクリート壁４の外面に樹脂塗料を吹き付け塗装された延展性に富むシームレス塗膜の防水層１を床面の防水層と一体的に接合させて形成し、その外面に図７に示す複数の凸部１２が散在する合成樹脂成型品でなる通水層３を装着した後、埋め土１０を矢板との空間に埋め戻した。
【実施例３】
【００１９】  前述の地下室外面の防湿構造を備え、さらに地下室底面角部の断面説明図３に示すように、地下室内のコンクリート壁４の内面に、換気手段に連通する通気層１３と、その内面に床面との間に吸気間隙１１を設けて前記した透水層２および防水層１を備え、その表面に内装壁および床を装着して地下室を施工する。  この場合の透水層２は、防水層１を装着させるための下地を構成する。矢印は空気の流れを示す。
【実施例４】
【００２０】  他の例の地下室底面角部の断面説明図４に示すように、地下室内のコンクリート壁４の内面に、換気手段に連通する通気層１３と、その内面に透水層２および防水層１を備え、さらに、床面にも同様に換気手段に連通する通気層１３と、その内面に壁面との間に吸気間隙を設けて透水層２および防水層１を備えた壁面を形成し、その表面に内装壁および床を装着して地下室を施工する。  このとき、床面の中央部の適所に吸気孔を設けておくことが必要である。
【実施例５】
【００２１】  他の例の地下室内床面角部の断面説明図５に示すように、地下室内のコンクリート壁４の内面に、換気手段に連通する通気層１３と、床面との間に吸気間隙１１を設けて透水層２および防水層１を備え、さらに、床面にも同様に換気手段に連通する通気層１３と、その上面に壁面との間に吸気間隙を設けて透水層２および防水層１を備えた壁面を形成し、その表面に内装壁および床を装着して地下室を施工する。【００２２】  このとき、床面の略中央の適所に吸気孔を設けておくことが必要である。
透水層２は、防水層１を装着させるための下地を構成し、矢印は空気の流れを示す。  この場合、床面との間の吸気間隙１１を調節可能にすることが望ましい。
【実施例６】
【００２３】  屋外吸気の例として、図６の換気手段の取りつけ説明用の断面図に示すように、一階の床が地下室の天井と一体となる場合は、地下室の壁上部の適所に貫通穴を設け換気手段を装着する。
地下室の天井がコンクリートの場合は、天井面にも壁面と同様に通気層を設けて換気する事が望ましく、地下室躯体のみがコンクリートで一階から木造住宅の場合は、地下室の天井も木造となるので、図６に示す構造で差し支えない。【００２４】  屋外吸気の換気手段の例として、図６に図示するように空気フィルタ１５、電動ファン１６、分岐穴１７、および角度調整による風量調節手段１８とを備える。
屋外排気の場合は、空気フィルタ１５を室内の吸気側に備え、電動ファン１６を逆回転させる。
【発明の効果】
【００２５】  従来のビルディング建設のように、地中の躯体を二重構造とすることなく、従来のように、コンクリート打設用の外枠に防水シートを張り、継ぎ目は接着剤で接着する煩雑な接着作業を省き容易に防水層を形成することができ、シートが破損することもない。
【００２６】  さらに室内においても従来のように、両面に接着剤を塗布したプラスチックフィルムを発泡成型した断熱層と装着一体化した防湿断熱壁パネルを用いることなく、同等の効果がある防湿、断熱構造を容易に施工する事ができる。
【図面の簡単な説明】
【図１】  地下室底面角部の断面説明図。
【図２】  他の地下室底面角部の断面説明図。
【図３】  地下室内床面角部の断面説明図。
【図４】  他の例の地下室内床面角部の断面説明図。
【図５】  他の例の地下室内床面角部の断面説明図。
【図６】  換気手段の取りつけ説明用の断面図。
【図７】  通水層あるいは通気層の説明斜視図。
【符号の説明】
１      防水層
２      透水層
３      通水層
４      コンクリート壁
５      床スラブ
６      捨てコンクリート
７      基礎バラス
８      矢板
９      集水管
１０    埋め戻し土
１１    吸気間隙
１２    凸部
１３    通気層
１４    地面
１５    フィルター
１６    電動ファン
１７    分岐孔
１８    風量調節手段
１９    天井
【図１】
2005076438.tif 000003
【図２】
2005076438.tif 000004
【図３】
2005076438.tif 000005
【図４】
2005076438.tif 000006
【図５】
2005076438.tif 000007
【図６】
2005076438.tif 000008
【図７】
2005076438.tif 000009